(57)【特許請求の範囲】
【請求項１】
互いに組み付けられた第一ケース及び第二ケースと、
前記第一ケースに設けられた第一部品と前記第二ケースに設けられた第二部品とを接続する接続ケーブルと、
前記第一ケースに設けられた一対の部材間を接続すると共に、長さ方向の中間部にＵ字状に折り曲げられた折曲部を有し、前記折曲部の内側で前記接続ケーブルを保持する配線ケーブルと、
を備える電子機器。
【請求項２】
前記配線ケーブルは、フレキシブルケーブルであり、
前記折曲部は、前記フレキシブルケーブルの横幅方向を軸として折り曲げられている、
請求項１に記載の電子機器。
【請求項３】
前記折曲部の開口部には、前記開口部を塞ぐ閉塞部材が設けられている、
請求項１又は請求項２に記載の電子機器。
【請求項４】
前記配線ケーブルは、
前記折曲部における開口部側の一対の端部のうち一方の端部から他方の端部と反対側に導出された一方の導出部と、
前記折曲部における開口部側の一対の端部のうち他方の端部から一方の端部と反対側に導出された他方の導出部と、
前記他方の導出部に対して前記折曲部が突出する側と反対側に前記他方の導出部の先端部から折り返された折返し部とを有する、
請求項１〜請求項３のいずれか一項に記載の電子機器。
【請求項５】
前記折返し部は、前記他方の導出部の側方に向けて折り返されることにより前記他方の導出部に対して捩じられている、
請求項４に記載の電子機器。
【請求項６】
前記折曲部は、前記第一ケースの周縁部のうちの前記一の縁部と、該一の縁部とは反対側の他の縁部とが並ぶ方向を横幅方向として形成され、
前記接続ケーブルは、前記第一部品から導出された後に、前記一の縁部側から前記他の縁部側に向けて前記折曲部の内側を通過し、前記第二部品に向かう、
請求項１〜請求項５のいずれか一項に記載の電子機器。
【請求項７】
前記折曲部の開口部は、前記第一ケース及び前記第二ケースの分割方向と交差する方向を向いている、
請求項１〜請求項６のいずれか一項に記載の電子機器。
【請求項８】
第一ケース及び第二ケースを開いた状態で、前記第一ケースに設けられた第一部品と前記第二ケースに設けられた第二部品とを接続ケーブルで接続すると共に、前記第一ケースに設けられた一対の部材間を配線ケーブルで接続し、
前記配線ケーブルの長さ方向の中間部にＵ字状に折り曲げて形成した折曲部の内側で前記接続ケーブルを保持した状態で、前記第一ケース及び前記第二ケースを互いに組み付ける、
ことを含む電子機器の製造方法。
【発明の詳細な説明】
【技術分野】
【０００１】
本願の開示する技術は、電子機器及び電子機器の製造方法に関する。
【背景技術】
【０００２】
電子機器としては、例えば、互いに組み付けられた第一ケース及び第二ケースと、第一ケースに設けられた第一部品と第二ケースに設けられた第二部品とを接続する接続ケーブルとを備えた電子機器がある（例えば、特許文献１，２参照）。
【０００３】
このような電子機器の製造方法では、一般に、第一ケース及び第二ケースを開いた状態で、第一ケースに設けられた第一部品と第二ケースに設けられた第二部品とが接続ケーブルで接続される。そして、その後、第一ケース及び第二ケースが互いに組み付けられる。
【先行技術文献】
【特許文献】
【０００４】
【特許文献１】特開平８−６６７２号公報
【特許文献２】特開２００５−５３２０号公報
【発明の概要】
【発明が解決しようとする課題】
【０００５】
上述の電子機器の製造方法では、接続ケーブルの接続作業性を考慮し、接続ケーブルに余長が設けられることがある。しかしながら、接続ケーブルに余長が設けられた場合、第一ケース及び第二ケースの組付時に、接続ケーブルが第一ケース及び第二ケースの間に噛み込まれてしまう虞がある。
【０００６】
そこで、本願の開示する技術は、一つの側面として、第一ケース及び第二ケースの組付時に、接続ケーブルが第一ケース及び第二ケースの間に噛み込まれることを抑制することを目的とする。
【課題を解決するための手段】
【０００７】
上記目的を達成するために、本願の開示する技術の一観点に係る電子機器は、互いに組み付けられた第一ケース及び第二ケースと、接続ケーブルと、配線ケーブルとを備える。接続ケーブルは、第一ケースに設けられた第一部品と第二ケースに設けられた第二部品とを接続し、配線ケーブルは、第一ケースに設けられた一対の部材間を接続する。配線ケーブルは、その長さ方向の中間部にＵ字状に折り曲げられた折曲部を有し、この折曲部の内側で接続ケーブルを保持する。
【発明の効果】
【０００８】
本願の開示する技術によれば、第一ケース及び第二ケースの組付時に、接続ケーブルが第一ケース及び第二ケースの間に噛み込まれることを抑制することができる。
【図面の簡単な説明】
【０００９】
【図１】電子機器を前方から見た斜視図である。
【図２】電子機器の側面図である。
【図３】電子機器を右後方から見た斜視図である。
【図４】電子機器を左後方から見た斜視図である。
【図５】電子機器の分解側面図である。
【図６】アッパーケース及びロアケースを開いた状態を示す側面図である。
【図７】アッパーケース及びロアケースを開いた状態を示す平面図である。
【図８】アッパーケース及びロアケースを閉じている過程を示す斜視図である。
【図９】アッパーケース及びロアケースを閉じている過程を示す側面図である。
【図１０】アッパーケース及びロアケースを閉じた状態を示す斜視図である。
【図１１】フレキシブルケーブル及びその周辺構造を示す斜視図である。
【図１２】フレキシブルケーブル及びその周辺構造を示す側面図である。
【図１３】折曲部を有するフレキシブルケーブルの拡大斜視図である。
【図１４】アッパーケース及びロアケースを開いて折曲部の内側で接続ケーブルを保持した状態を示す平面図である。
【図１５】折曲部の内側で接続ケーブルを保持した状態を示す斜視図である。
【図１６】折曲部の内側で接続ケーブルを保持した状態を示す側面図である。
【図１７】折曲部の内側で接続ケーブルを保持した状態を示す斜視図である。
【図１８】折曲部の内側で接続ケーブルを保持した状態を示す斜視図である。
【図１９】折曲部の内側で接続ケーブルを保持した状態でアッパーケース及びロアケースを閉じている過程を示す側面図である。
【図２０】変形例に係るシート部材で折曲部の開口部を塞いだ状態を示す側面図である。
【図２１】変形例に係るシート部材で折曲部の開口部を塞いだ状態を示す斜視図である。
【図２２】変形例に係る折曲部を示す側面図である。
【図２３】変形例に係る折曲部を示す側面図である。
【図２４】変形例に係る接続ケーブルの配線ルートを示す斜視図である。
【発明を実施するための形態】
【００１０】
以下、本願の開示する技術の一実施形態を説明する。
【００１１】
図１〜図５に示される本実施形態に係る電子機器１０は、一例として、表示器一体型のパーソナルコンピュータとされている。この電子機器１０は、表示装置１２と、本体装置１４とを備える。表示装置１２には、例えば液晶表示器などの表示器１６が設けられている。この表示装置１２は、本体装置１４に起立して設けられている。図２〜図５に示されるように、表示装置１２の背面部は、支持部材１８（可動ヒンジ）により表示装置１２の上面部に固定されている。
【００１２】
図４に示されるように、本体装置１４の背面部には、電源ケーブル２０や信号ケーブル２２が接続される一対の外部コネクタ２４，２６が設けられている。この一対の外部コネクタ２４，２６は、本体装置１４の背面部における横幅方向一方側に配置されており、それぞれ本体装置１４の横幅方向他方側に向けて配置されている。
【００１３】
なお、図１〜図５の各図に示される矢印ＵＰ、矢印ＦＲ、及び、矢印ＲＨは、電子機器１０の高さ方向の上側、奥行方向の手前側（前側）、及び、横幅方向の右側をそれぞれ示している。
【００１４】
図５に示されるように、本体装置１４は、「第一ケース」の一例であるアッパーケース３０と、「第二ケース」の一例であるロアケース３２とを有する。アッパーケース３０及びロアケース３２は、本体装置１４の高さ方向に分割されており、互いに組み付けられている。
【００１５】
図６，図７には、このアッパーケース３０及びロアケース３２が互いの背面側を支点に開かれた状態が示されている。図７に示されるように、アッパーケース３０の内側には、メイン基板３４やその他の部品が設けられており、ロアケース３２の内側には、一対のスピーカ３６，３８やその他の部品が設けられている。
【００１６】
メイン基板３４は、アッパーケース３０の内側の面（天壁の裏面）に対向して配置されている。このメイン基板３４には、図１５に示されるように、「第一部品」の一例であるコネクタ４０が実装されており、このコネクタ４０と接続されるコネクタ４２には、接続ケーブル４４の一端が接続されている。
【００１７】
接続ケーブル４４の他端は、図７に示される一対のスピーカ３６，３８のうち「第二部品」の一例である一方のスピーカ３６に接続されている。一方のスピーカ３６と他方のスピーカ３８とは、ケーブル４６によって接続されている。アッパーケース３０及びロアケース３２が互いの背面側を支点に開かれた状態において、接続ケーブル４４には、コネクタ４０へのコネクタ４２の接続を容易にするための余長が確保されている。
【００１８】
また、図１１に示されるように、メイン基板３４には、上述のコネクタ４０に隣接してコネクタ４８が実装されており、アッパーケース３０の内側には、コネクタ４０，４８と隣接してサブ基板５０が設けられている。このサブ基板５０は、アッパーケース３０の内側に設けられたブラケット５２により支持されており、メイン基板３４に対して起立して配置されている。
【００１９】
このサブ基板５０には、コネクタ５４が実装されており、このサブ基板５０のコネクタ５４と、メイン基板３４のコネクタ４８とは、メイン基板３４に対するサブ基板５０の起立方向（メイン基板３４の法線方向）に互いに離間して配置されている。この一対のコネクタ４８，５４は、「一対の部材」の一例である。この一対のコネクタ４８，５４は、「配線ケーブル」の一例であるフレキシブルケーブル５６によって接続されている（図１２も参照）。
【００２０】
なお、図１１，図１２では、便宜上、上述の接続ケーブル４４（図６，図７参照）の図示が省略されている。
【００２１】
ところで、図６，図７に示されるように、接続ケーブル４４が、途中でクランプされずに、直接、アッパーケース３０のコネクタ４０からロアケース３２のスピーカ３６に向かう場合には、次の不都合が懸念される。つまり、接続ケーブル４４には余長が設けられている。このため、図８〜図１０に示されるように、アッパーケース３０及びロアケース３２の組付時に、接続ケーブル４４がアッパーケース３０及びロアケース３２の間（特に、背面側の縁部５８，６０の間）に噛み込まれてしまう虞がある。
【００２２】
そこで、本実施形態では、接続ケーブル４４がアッパーケース３０及びロアケース３２の間に噛み込まれることを抑制するために、次の構造が採用されている。
【００２３】
すなわち、図１１〜図１３に示されるように、フレキシブルケーブル５６の長さ方向の中間部には、Ｕ字状に折り曲げられた折曲部６２が形成されている。そして、図１５〜図１８に示されるように、この折曲部６２の内側で接続ケーブル４４（余長部分）が保持されている。
【００２４】
図１３に示されるように、折曲部６２は、より具体的には、フレキシブルケーブル５６の横幅方向（矢印Ｘ１，Ｘ２方向）を軸として折り曲げられている。この折曲部６２の開口部６４は、アッパーケース３０の側面６６（図１１参照）側を向いている。
【００２５】
本実施形態において、図５に示されるアッパーケース３０及びロアケース３２の分割方向は、図１３の矢印Ｚ１、矢印Ｚ２で示される方向であり、折曲部６２の開口部６４の向く方向は、矢印Ｙ２で示される方向である。矢印Ｚ１，Ｚ２方向は、「第一ケース及び第二ケースの分割方向」の一例であり、矢印Ｙ２方向は、「第一ケース及び第二ケースの分割方向と交差する方向」の一例である。
【００２６】
図１１に示されるように、折曲部６２は、アッパーケース３０の前後方向を横幅方向として形成されている。折曲部６２の横幅方向であるアッパーケース３０の前後方向（矢印Ｘ方向）は、アッパーケース３０の周縁部のうちの背面側の縁部５８と、この背面側の縁部５８とは反対側の正面側の縁部６８とが並ぶ方向である（図９も参照）。背面側の縁部５８は、「一の縁部」の一例であり、正面側の縁部６８は、「他の縁部」の一例である。
【００２７】
図１３に示されるように、折曲部６２の開口部６４には、「閉塞部材」の一例であるブロック状のスポンジ部材７０が設けられており、この開口部６４は、スポンジ部材７０により塞がれている。スポンジ部材７０は、一例として、折曲部６２における開口部６４側の一対の端部７２，７４のうち一方の端部７２に、例えば両面テープ等により貼り付けられて固定されている。
【００２８】
また、スポンジ部材７０は、折曲部６２における開口部６４側の一対の端部７２，７４によってスポンジ部材７０の両側から押圧されている。一対の端部７２，７４によってスポンジ部材７０をその両側から押圧することは、一対のコネクタ４８，５４の離間方向の長さに応じて後述する一対の導出部７６，７８の長さを調節したり、スポンジ部材７０の厚みを調節したりすることにより可能である。
【００２９】
フレキシブルケーブル５６は、折曲部６２における開口部６４側の一対の端部７２，７４と連続する一対の導出部７６，７８を有する。一方の導出部７６は、一対の端部７２，７４のうち一方の端部７２から他方の端部７４と反対側（矢印Ｚ１側）に導出されており、他方の導出部７８は、一対の端部７２，７４のうち他方の端部７４から一方の端部７２と反対側（矢印Ｚ２側）に導出されている。折曲部６２は、その両側に一対の導出部７６，７８が形成されることにより、一対のコネクタ４８，５４の離間方向（矢印Ｚ１，Ｚ２方向）の中間部に形成されている。
【００３０】
一方の導出部７６の先端部は、コネクタ４８に接続されている。この一方の導出部７６は、他方の導出部７８よりも長さが短くなっている。つまり、一方の導出部７６の長さをＬ１、他方の導出部７８の長さをＬ２とした場合、長さＬ１＜長さＬ２である。
【００３１】
他方の導出部７８の先端部には、折返し部８０が連続して形成されている。この折返し部８０は、他方の導出部７８の先端部から折り返されている。この折返し部８０の折返し方向は、他方の導出部７８に対して折曲部６２が突出する側と反対側である。つまり、他方の導出部７８に対して折曲部６２が突出する側は、矢印Ｙ１側であり、他方の導出部７８の先端部から折返し部８０が折り返された側（他方の導出部７８に対して折返し部８０が位置する側）は、矢印Ｙ１と反対の矢印Ｙ２側である（図１２も参照）。
【００３２】
また、折返し部８０は、他方の導出部７８の側方（矢印Ｘ１側）に向けて折り返されている。これにより、折返し部８０は、他方の導出部７８に対して捩じられている。
【００３３】
図１５に示されるように、メイン基板３４に実装されたコネクタ４０及びコネクタ４８と、折曲部６２を含むフレキシブルケーブル５６とは、アッパーケース３０の周縁部のうち縁部５８側（背面側）に配置されている。また、図１４に示されるように、一対のスピーカ３６，３８も、ロアケース３２の前後方向の中央部に対してロアケース３２の縁部６０側（背面側）に偏って配置されている。アッパーケース３０及びロアケース３２における背面側の縁部５８，６０は、「一の縁部」の一例である。
【００３４】
図１５に示されるように、接続ケーブル４４は、コネクタ４０から導出された後に、一の縁部５８側（背面側）から反対側の他の縁部６８側（正面側）に向けて折曲部６２の内側を通過する。また、図１６，図１７に示されるように、この接続ケーブル４４は、折曲部６２の内側を通過してから、ロアケース３２に設けられたスピーカ３６に向かうように配線されている。また、接続ケーブル４４は、より具体的には、折曲部６２の内側からアッパーケース３０と反対側（矢印Ｚ２方向）に導出されている（図１８も参照）。
【００３５】
次に、本実施形態に係る電子機器１０の製造方法（組立方法）について説明する。
【００３６】
先ず、図６，図７に示されるように、アッパーケース３０の内側に、メイン基板３４、サブ基板５０、ブラケット５２、及び、その他の部品が取り付けられる。また、ロアケース３２の内側に、一対のスピーカ３６，３８やその他の部品が取り付けられる。
【００３７】
続いて、図１１，図１２に示されるように、メイン基板３４に実装されたコネクタ４８と、サブ基板５０に実装されたコネクタ５４とがフレキシブルケーブル５６によって接続される。このとき、フレキシブルケーブル５６は、上述の折曲部６２、一対の導出部７６，７８、及び、折返し部８０を有するようにフォーミングされる。フレキシブルケーブル５６は、コネクタ４８及びコネクタ５４に接続される前にフォーミングされても良いし、コネクタ４８及びコネクタ５４に接続された後にフォーミングされても良い。
【００３８】
また、フレキシブルケーブル５６に形成された折曲部６２の開口部６４には、ブロック状のスポンジ部材７０が設けられる。このスポンジ部材７０は、一対の端部７２，７４のうち一方の端部７２に例えば両面テープ等により貼り付けられて固定される。そして、開口部６４は、このスポンジ部材７０により塞がれる。このとき、より好ましくは、折曲部６２における開口部６４側の一対の端部７２，７４によってスポンジ部材７０がその両側から押圧された状態とされる。
【００３９】
次いで、図７に示されるように、アッパーケース３０及びロアケース３２が互いの背面側を支点に開かれた状態（アッパーケース３０の内側及びロアケース３２の内側が同じ方向（上方）を向き且つ互いの背面側の縁部５８，６０が並ぶ状態）で配置される。また、接続ケーブル４４の一端に接続されたコネクタ４２が、メイン基板３４に実装されたコネクタ４０（図１５参照）に接続されると共に、接続ケーブル４４の他端がスピーカ３６に接続される。
【００４０】
なお、メイン基板３４に実装されたコネクタ４０及びコネクタ４８と、折曲部６２を含むフレキシブルケーブル５６とは、アッパーケース３０の周縁部のうち縁部５８側（背面側）に配置される。また、一対のスピーカ３６，３８も、ロアケース３２の前後方向の中央部に対してロアケース３２の縁部６０側（背面側）に偏って配置される。従って、アッパーケース３０及びロアケース３２が互いの背面側を支点に開かれた状態では、接続ケーブル４４がアッパーケース３０及びロアケース３２の背面側の縁部５８，６０を跨いで配線される。
【００４１】
また、アッパーケース３０及びロアケース３２が互いの背面側を支点に開かれた状態で、接続ケーブル４４の一端に接続されたコネクタ４２をメイン基板３４に実装されたコネクタ４０に接続し得るように、接続ケーブル４４には、予め余長が確保される。
【００４２】
そして、図１５〜図１８に示されるように、折曲部６２の開口部６４を通じて接続ケーブル４４の余長部分が折曲部６２の内側に挿入され、この折曲部６２の内側で接続ケーブル４４が保持される。折曲部６２の開口部６４は、ブロック状のスポンジ部材７０により塞がれるので、このスポンジ部材７０により、折曲部６２の内側からの接続ケーブル４４の抜けが抑制される。
【００４３】
また、図１５に示されるように、接続ケーブル４４は、コネクタ４０から導出された後に一の縁部５８側（背面側）から反対側の他の縁部６８側（正面側）に向けて折曲部６２の内側を通過するように配線される。また、図１６，図１７に示されるように、接続ケーブル４４は、折曲部６２の内側を通過してからロアケース３２のスピーカ３６に向かうように配線される。さらに、このとき、接続ケーブル４４は、より具体的には、折曲部６２の内側からアッパーケース３０と反対側（矢印Ｚ２方向）に導出されるように配線される（図１８も参照）。
【００４４】
続いて、上述のように折曲部６２の内側で接続ケーブル４４が保持された状態（図１４も参照）で、図１９に示されるように、ロアケース３２がアッパーケース３０に対して背面側を支点に回転される。そして、ロアケース３２がアッパーケース３０に閉じられる（図１０参照）。また、このようにしてロアケース３２がアッパーケース３０に閉じられた状態でロアケース３２及びアッパーケース３０が爪同士で嵌合されるか又はネジ止めされる。これにより、アッパーケース３０及びロアケース３２が互いに組み付けられ、本体装置１４が完成する。
【００４５】
また、図５に示されるように、別途組み立てられた表示装置１２が本体装置１４に組み付けられ、図１〜図４に示される電子機器１０が完成する。なお、以上の電子機器１０の製造方法は、一例であり、上記各組立作業の順序は、適宜、入れ替えられても良い。
【００４６】
次に、本実施形態の作用及び効果について説明する。
【００４７】
以上詳述したように、本実施形態によれば、フレキシブルケーブル５６にＵ字状に折り曲げて形成した折曲部６２の内側で接続ケーブル４４を保持し、この状態で、アッパーケース３０及びロアケース３２が互いに組み付けられる。従って、接続ケーブル４４に余長が設けられた場合でも、図１６〜図１９に示されるように、アッパーケース３０及びロアケース３２の組付時に接続ケーブル４４がアッパーケース３０及びロアケース３２の間にはみ出すことを抑制することができる。これにより、接続ケーブル４４がアッパーケース３０及びロアケース３２の間に噛み込まれることを抑制することができる。
【００４８】
しかも、フレキシブルケーブル５６に形成した折曲部６２を、接続ケーブル４４を保持するためのクランプとして利用しているので、折曲部６２とは別のクランプ部材を不要にすることができる。また、クランプ部材が不要になることにより、クランプ部材のための設置スペースや取付工数も不要となる。これにより、コストダウンすることができる。
【００４９】
また、接続ケーブル４４を保持するための折曲部６２をフレキシブルケーブル５６の一部で形成しており、この折曲部６２が可撓性を有する。従って、Ｕ字状の折曲部６２を開く方向に容易に変形させることができるので、この折曲部６２の開口部６４を通じて接続ケーブル４４の余長部分を折曲部６２の内側に容易に挿入することができる。これにより、折曲部６２の内側で接続ケーブル４４を保持する際の作業性を向上させることができる。
【００５０】
また、折曲部６２は、フレキシブルケーブル５６（フラットケーブル）の横幅方向を軸としてＵ字状に折り曲げられている。従って、例えば、例えば通常の断面円形の線材に折曲部６２を形成する場合に比して、接続ケーブル４４を保持するための保持長さを長くすることができる。これにより、接続ケーブル４４をより安定して保持することができるので、接続ケーブル４４がアッパーケース３０及びロアケース３２の間に噛み込まれることをより効果的に抑制することができる。
【００５１】
また、メイン基板３４に実装されたコネクタ４８と、サブ基板５０に実装されたコネクタ５４とは、互いに離間して配置されており、折曲部６２は、この一対のコネクタ４８，５４の離間方向の中間部に形成されている。従って、この折曲部６２がバネ性を発揮することにより、フレキシブルケーブル５６及びコネクタ４８の接続時の作業性を向上させることができると共に、フレキシブルケーブル５６及びコネクタ４８の抜けを抑制することができる。
【００５２】
また、折曲部６２による接続ケーブル４４の保持構造は、一対のコネクタ４８，５４の離間方向の中間部に形成されるフレキシブルケーブル５６の余長部分に、接続ケーブル４４のクランプ機能を持たせたものと換言できる。従って、フレキシブルケーブル５６に新たな形状を付加することを抑制できるので、コストアップを抑制することができる。
【００５３】
また、折曲部６２の開口部６４は、ブロック状のスポンジ部材７０で塞がれているので、このスポンジ部材７０により、折曲部６２の内側からの接続ケーブル４４の抜けを抑制することができる。従って、このことによっても、接続ケーブル４４がアッパーケース３０及びロアケース３２の間に噛み込まれることをより効果的に抑制することができる。
【００５４】
特に、折曲部６２における開口部６４側の一対の端部７２，７４によってスポンジ部材７０がその両側から押圧された状態とされている。従って、一対の端部７２，７４のうちスポンジ部材７０と貼り付けられていない側の端部７４と、スポンジ部材７０との間に隙間が生じることを抑制することができる。これにより、折曲部６２の内側からの接続ケーブル４４の抜けをより効果的に抑制することができる。
【００５５】
また、折曲部６２における開口部６４側の一対の端部７２，７４のうち一方の端部７２からは、他方の端部７４と反対側に一方の導出部７６が導出されており、この一方の導出部７６の先端部は、メイン基板３４のコネクタ４８に接続されている。従って、この一方の導出部７６を介して折曲部６２がメイン基板３４に固定（折曲部６２の下方近傍でフレキシブルケーブル５６がコネクタ４８に接続）されているので、折曲部６２の変形や変位を抑制することができる。
【００５６】
しかも、一方の導出部７６は、他方の導出部７８よりも長さが短いので、折曲部６２の変形や変位をより効果的に抑制することができる。
【００５７】
また、他方の導出部７８の先端部には、折返し部８０が形成されている。この折返し部８０は、他方の導出部７８に対して折曲部６２が突出する側と反対側（矢印Ｙ２側）に折り返されている（図１２参照）。従って、折曲部６２の開口部６４が閉じる方向に折返し部８０が折り返されているので、Ｕ字状の折曲部６２が開方向に変形することを抑制することができる。これにより、折曲部６２の内側からの接続ケーブル４４の抜けをより効果的に抑制することができる。
【００５８】
また、この折返し部８０は、他方の導出部７８の側方（図１３の矢印Ｘ１側）に向けて折り返されることにより他方の導出部７８に対して捩じられている。従って、折返し部８０が他方の導出部７８に対して捩じられることにより、他方の導出部７８の剛性を高めることができる。従って、このことによっても、折曲部６２の変形や変位を抑制することができる。
【００５９】
また、図７に示されるように、メイン基板３４に実装されたコネクタ４０及びコネクタ４８と、折曲部６２を含むフレキシブルケーブル５６とは、アッパーケース３０の周縁部のうち縁部５８側（背面側）に配置されている。また、一対のスピーカ３６，３８も、ロアケース３２の前後方向の中央部に対してロアケース３２の縁部６０側（背面側）に偏って配置されている。従って、アッパーケース３０及びロアケース３２が互いの背面側を支点に開かれた状態では、接続ケーブル４４が、アッパーケース３０及びロアケース３２の背面側の縁部５８，６０を跨いで配線される。
【００６０】
しかしながら、図１５に示されるように、折曲部６２は、アッパーケース３０の奥行方向（背面側の縁部５８と正面側の縁部６８とが並ぶ方向であって矢印Ｘ方向）を横幅方向として形成されている。また、接続ケーブル４４は、コネクタ４０から導出された後に、一の縁部５８側（背面側）から反対側の他の縁部６８側（正面側）に向けて折曲部６２の内側を通過し、それから、図１６，図１７に示されるロアケース３２のスピーカ３６に向かうように配線される。
【００６１】
従って、接続ケーブル４４が一の縁部５８側から他の縁部６８側に向けて折曲部６２の内側を通過することにより、この接続ケーブル４４が背面側（噛み込み側）の縁部５８から遠ざけられる。これにより、ロアケース３２がアッパーケース３０に対して背面側を支点に回転されてアッパーケース３０に閉じられる際に、接続ケーブル４４が、アッパーケース３０及びロアケース３２における背面側の縁部５８，６０間に噛み込まれることを抑制することができる。
【００６２】
また、折曲部６２の開口部６４は、アッパーケース３０及びロアケース３２の分割方向と交差する方向の一例として、アッパーケース３０の側面６６側（矢印Ｙ２側）を向いている。従って、アッパーケース３０及びロアケース３２の組付時に接続ケーブル４４がアッパーケース３０及びロアケース３２の分割方向（矢印Ｚ１，Ｚ２方向）に動いた場合でも、折曲部６２の内側からの接続ケーブル４４の抜けを抑制することができる。
【００６３】
また、接続ケーブル４４は、折曲部６２の内側からアッパーケース３０と反対側（矢印Ｚ２方向）に導出されている。従って、折曲部６２の内側から導出された接続ケーブル４４が遠回りをせずにスピーカ３６に向かうので、接続ケーブル４４の長さが長くなることを抑制することができる。これにより、コストダウンすることができる。
【００６４】
次に、本実施形態の変形例について説明する。
【００６５】
本実施形態において、本体装置１４は、この本体装置１４の高さ方向に分割されたアッパーケース３０及びロアケース３２を有するが、本体装置１４の高さ方向以外の方向に分割された第一ケース及び第二ケースを有していても良い。
【００６６】
また、接続ケーブル４４は、一例として、アッパーケース３０に設けられたコネクタ４０と、ロアケース３２に設けられたスピーカ３６とを接続するが、アッパーケース３０及びロアケース３２に設けられたその他の第一部品及び第二部品間を接続しても良い。
【００６７】
また、折曲部６２は、より好ましくは、フレキシブルケーブル５６（フラットケーブル）に形成されるが、フレキシブルケーブル５６以外の形状の配線ケーブルに形成されても良い。
【００６８】
また、折曲部６２の開口部６４を塞ぐためのスポンジ部材７０は、一対の端部７２，７４のうち一方の端部７２に例えば両面テープ等により貼り付けられて固定される。しかしながら、スポンジ部材７０は、一対の端部７２，７４のうち他方の端部７４に貼り付けられて固定されても良い。
【００６９】
このように、スポンジ部材７０が他方の端部７４に貼り付けられて固定されると、折曲部６２の内側から接続ケーブル４４が導出される側（矢印Ｚ１側）と、一対の端部７２，７４に対するスポンジ部材７０の貼付側（矢印Ｚ１側）とが同じ側に位置する。従って、このスポンジ部材７０により、折曲部６２の内側からの接続ケーブル４４の抜けをより効果的に抑制することができる。
【００７０】
また、スポンジ部材７０は、一対の端部７２，７４の両方に例えば両面テープ等により貼り付けられて固定されても良い。また、この場合に、接続ケーブル４４は、Ｕ字状に形成された折曲部６２の一方の側面開口から他方の側面開口に向けて挿通されることにより、この折曲部６２の内側に保持されても良い。また、折曲部６２の開口部６４にスポンジ部材７０が固定される前に、接続ケーブル４４が折曲部６２の内側に保持され、その後に、折曲部６２の開口部６４にスポンジ部材７０が固定されても良い。
【００７１】
また、折曲部６２の開口部６４には、「閉塞部材」の一例として、スポンジ部材７０が用いられているが、スポンジ部材７０以外の部材が用いられても良い。
【００７２】
例えば、図２０，図２１に示される変形例では、「閉塞部材」の一例として、シート部材９０が用いられている。このシート部材９０は、折曲部６２における開口部６４側の一対の端部７２，７４を繋いでいる。このシート部材９０は、概略Ｖ字状に折り曲げられており、概略Ｖ字状に撓んだ状態で、折曲部６２における開口部６４側の一対の端部７２，７４を撓んだ状態で繋いでいる。
【００７３】
このシート部材９０は、一対の端部７２，７４の少なくとも一方に例えば両面テープ等により貼り付けられて固定される。シート部材９０が一対の端部７２，７４のいずれか一方に固定される場合、シート部材９０における固定側と反対側の端部は、シート部材の弾性力（復元力）により、一対の端部７２，７４のいずれか他方に押圧されて接触する。
【００７４】
また、図２０，図２１に示される変形例、及び、上述の実施形態では、折曲部６２の開口部６４を塞ぐために閉塞部材が用いられている。しかしながら、図２２に示されるように、折曲部６２の開口部６４は、この折曲部６２における開口部６４側の一対の端部７２，７４が互いに接することにより閉じられていても良い。
【００７５】
また、図２０〜図２２に示される変形例、及び、上述の実施形態では、折曲部６２の開口部６４が塞がれるか又は閉じられているが、折曲部６２の開口部６４は、図２３に示されるように、開放されていても良い。
【００７６】
また、接続ケーブル４４の配線時に、アッパーケース３０及びロアケース３２は、互いの背面側を支点に開かれた状態とされるが、どの箇所を支点に開かれた状態とされても良い。
【００７７】
また、アッパーケース３０及びロアケース３２が開かれた状態において、接続ケーブル４４は、アッパーケース３０及びロアケース３２のどの縁部を跨いで配線されても良い。
【００７８】
また、コネクタ４０と、折曲部６２を含むフレキシブルケーブル５６とは、アッパーケース３０における一の縁部５８側（背面側）に配置されているが、アッパーケース３０のどの場所に配置されても良い。同様に、一対のスピーカ３６，３８も、ロアケース３２の前後方向の中央部に対してロアケース３２の縁部６０側（背面側）に偏って配置されているが、ロアケース３２のどの場所に配置されても良い。
【００７９】
また、図１７に示されるように、接続ケーブル４４は、コネクタ４０から導出された後に一の縁部５８側（背面側）から反対側の他の縁部６８側（正面側）に向けて折曲部６２の内側を通過してからロアケース３２のスピーカ３６に向かうように配線される。しかしながら、図２４に示されるように、接続ケーブル４４は、コネクタ４０から導出された後に他の縁部６８側（正面側）から反対側の一の縁部５８側（背面側）に向けて折曲部６２の内側を通過してからロアケース３２のスピーカ３６に向かうように配線されても良い。
【００８０】
また、折曲部６２の開口部６４は、アッパーケース３０の側面６６側を向いているが、折曲部６２の開口部６４は、アッパーケース３０及びロアケース３２の分割方向と交差の一例として、アッパーケース３０の側面６６側以外の方向を向いていても良い。
【００８１】
また、電子機器１０は、一例として、表示器一体型のパーソナルコンピュータとされている。しかしながら、電子機器１０は、表示器一体型のパーソナルコンピュータ以外の機器（例えば、携帯電話、スマートフォン、タブレット、ノート型パーソナルコンピュータ、デスクトップ型パーソナルコンピュータ等）でも良い。
【００８２】
なお、上記複数の変形例のうち組み合わせ可能な変形例は、適宜、組み合わされても良い。
【００８３】
以上、本願の開示する技術の一実施形態について説明したが、本願の開示する技術は、上記に限定されるものでなく、上記以外にも、その主旨を逸脱しない範囲内において種々変形して実施可能であることは勿論である。
【００８４】
なお、上述の本願の開示する技術の一実施形態に関し、更に以下の付記を開示する。
【００８５】
（付記１）
互いに組み付けられた第一ケース及び第二ケースと、
前記第一ケースに設けられた第一部品と前記第二ケースに設けられた第二部品とを接続する接続ケーブルと、
前記第一ケースに設けられた一対の部材間を接続すると共に、長さ方向の中間部にＵ字状に折り曲げられた折曲部を有し、前記折曲部の内側で前記接続ケーブルを保持する配線ケーブルと、
を備える電子機器。
（付記２）
前記配線ケーブルは、フレキシブルケーブルであり、
前記折曲部は、前記フレキシブルケーブルの横幅方向を軸として折り曲げられている、
付記１に記載の電子機器。
（付記３）
前記一対の部材は、互いに離間して配置され、
前記折曲部は、前記一対の部材の離間方向の中間部に形成されている、
付記１又は付記２に記載の電子機器。
（付記４）
前記折曲部の開口部には、前記開口部を塞ぐ閉塞部材が設けられている、
付記１〜付記３のいずれか一項に記載の電子機器。
（付記５）
前記閉塞部材は、ブロック状のスポンジ部材である、
付記４に記載の電子機器。
（付記６）
前記スポンジ部材は、前記折曲部における前記開口部側の一対の端部によって前記スポンジ部材の両側から押圧されている、
付記５に記載の電子機器。
（付記７）
前記閉塞部材は、前記折曲部における前記開口部側の一対の端部を繋ぐシート部材である、
付記４に記載の電子機器。
（付記８）
前記シート部材は、前記折曲部における前記開口部側の一対の端部を撓んだ状態で繋いでいる、
付記７に記載の電子機器。
（付記９）
前記折曲部の開口部は、前記折曲部における開口部側の一対の端部が互いに接することにより閉じられている、
付記１〜付記３のいずれか一項に記載の電子機器。
（付記１０）
前記配線ケーブルは、前記折曲部における開口部側の一対の端部のうち一方の端部から他方の端部と反対側に導出された導出部を有し、
前記導出部の先端部は、前記一対の部材の一方に接続されている、
付記１〜付記９のいずれか一項に記載の電子機器。
（付記１１）
前記配線ケーブルは、前記折曲部における開口部側の一対の端部のうち一方の端部から他方の端部と反対側に導出された一方の導出部と、前記折曲部における開口部側の一対の端部のうち他方の端部から一方の端部と反対側に導出された他方の導出部とを有し、
前記一方の導出部の先端部は、前記一対の部材の一方に接続され、
前記一方の導出部は、前記他方の導出部よりも長さが短い、
付記１〜付記１０のいずれか一項に記載の電子機器。
（付記１２）
前記配線ケーブルは、
前記折曲部における開口部側の一対の端部のうち一方の端部から他方の端部と反対側に導出された一方の導出部と、
前記折曲部における開口部側の一対の端部のうち他方の端部から一方の端部と反対側に導出された他方の導出部と、
前記他方の導出部に対して前記折曲部が突出する側と反対側に前記他方の導出部の先端部から折り返された折返し部とを有する、
付記１〜付記１１のいずれか一項に記載の電子機器。
（付記１３）
前記折返し部は、前記他方の導出部の側方に向けて折り返されることにより前記他方の導出部に対して捩じられている、
付記１２に記載の電子機器。
（付記１４）
前記第一部品及び前記第二部品のうち少なくとも一方と、前記折曲部とは、前記第一ケース及び前記第二ケースの周縁部のうちの一の縁部側に配置されている、
付記１〜付記１３のいずれか一項に記載の電子機器。
（付記１５）
前記折曲部は、前記第一ケースの周縁部のうちの前記一の縁部と、該一の縁部とは反対側の他の縁部とが並ぶ方向を横幅方向として形成され、
前記接続ケーブルは、前記第一部品から導出された後に、前記一の縁部側から前記他の縁部側に向けて前記折曲部の内側を通過し、前記第二部品に向かう、
付記１４に記載の電子機器。
（付記１６）
前記折曲部は、前記第一ケースの周縁部のうちの前記一の縁部と、該一の縁部とは反対側の他の縁部とが並ぶ方向を横幅方向として形成され、
前記接続ケーブルは、前記第一部品から導出された後に、前記他の縁部側から前記一の縁部側に向けて前記折曲部の内側を通過し、前記第二部品に向かう、
付記１４に記載の電子機器。
（付記１７）
前記折曲部の開口部は、前記第一ケース及び前記第二ケースの分割方向と交差する方向を向いている、
付記１〜付記１６のいずれか一項に記載の電子機器。
（付記１８）
前記接続ケーブルは、前記折曲部の内側から、前記分割方向における前記第一ケースと反対側に導出されている、
付記１７に記載の電子機器。
（付記１９）
第一ケース及び第二ケースを開いた状態で、前記第一ケースに設けられた第一部品と前記第二ケースに設けられた第二部品とを接続ケーブルで接続すると共に、前記第一ケースに設けられた一対の部材間を配線ケーブルで接続し、
前記配線ケーブルの長さ方向の中間部にＵ字状に折り曲げて形成した折曲部の内側で前記接続ケーブルを保持した状態で、前記第一ケース及び前記第二ケースを互いに組み付ける、
ことを含む電子機器の製造方法。
（付記２０）
前記配線ケーブルとしてのフレキシブルケーブルの長さ方向の中間部に、前記フレキシブルケーブルの横幅方向を軸としてＵ字状に折り曲げた前記折曲部を形成する、
付記１９に記載の電子機器の製造方法。
（付記２１）
互いに離間して配置された前記一対の部材の離間方向の中間部に前記折曲部を形成する、
付記１９又は付記２０に記載の電子機器の製造方法。
（付記２２）
前記折曲部の内側で前記接続ケーブルを保持すると共に、前記折曲部の開口部を閉塞部材で塞ぐ、
付記１９〜付記２１のいずれか一項に記載の電子機器の製造方法。
（付記２３）
前記折曲部の開口部を前記閉塞部材としてのブロック状のスポンジ部材で塞ぐ、
付記２２に記載の電子機器の製造方法。
（付記２４）
前記折曲部における前記開口部側の一対の端部によって前記スポンジ部材を両側から押圧した状態とする、
付記２３に記載の電子機器の製造方法。
（付記２５）
前記折曲部における前記開口部側の一対の端部を前記閉塞部材としてのシート部材で繋ぎ、前記シート部材により前記折曲部の開口部を塞ぐ、
付記２２に記載の電子機器の製造方法。
（付記２６）
前記シート部材を撓ませた状態で、前記折曲部における前記開口部側の一対の端部を前記シート部材で繋ぐ、
付記２５に記載の電子機器の製造方法。
（付記２７）
前記折曲部における前記開口部側の一対の端部を互いに接した状態として、前記折曲部の開口部を塞ぐ、
付記１９〜付記２１のいずれか一項に記載の電子機器の製造方法。
（付記２８）
前記配線ケーブルに、前記折曲部における開口部側の一対の端部のうち一方の端部から他方の端部と反対側に導出された導出部を形成すると共に、前記導出部の先端部を、前記一対の部材の一方に接続する、
付記１９〜付記２７のいずれか一項に記載の電子機器の製造方法。
（付記２９）
前記配線ケーブルに、前記折曲部における開口部側の一対の端部のうち一方の端部から他方の端部と反対側に導出された一方の導出部と、前記折曲部における開口部側の一対の端部のうち他方の端部から一方の端部と反対側に導出された他方の導出部とを形成すると共に、前記一方の導出部を前記他方の導出部よりも長さを短くし、且つ、前記一方の導出部の先端部を、前記一対の部材の一方に接続する、
付記１９〜付記２８のいずれか一項に記載の電子機器の製造方法。
（付記３０）
前記配線ケーブルに、前記折曲部における開口部側の一対の端部のうち一方の端部から他方の端部と反対側に導出された一方の導出部と、
前記折曲部における開口部側の一対の端部のうち他方の端部から一方の端部と反対側に導出された他方の導出部と、
前記他方の導出部に対して前記折曲部が突出する側と反対側に前記他方の導出部の先端部から折り返された折返し部とを形成する、
付記１９〜付記２９のいずれか一項に記載の電子機器の製造方法。
（付記３１）
前記折返し部を前記他方の導出部の側方に向けて折り返すことにより、前記折返し部が前記他方の導出部に対して捩じられた状態とする、
付記３０に記載の電子機器の製造方法。
（付記３２）
前記第一ケース及び前記第二ケースを、前記第一ケース及び前記第二ケースの周縁部のうちの一の縁部側を支点に開いた状態で、前記第一部品と前記第二部品とを前記接続ケーブルで接続する、
付記１９〜付記３１のいずれか一項に記載の電子機器の製造方法。
（付記３３）
前記第一部品及び前記第二部品のうち少なくとも一方と、前記折曲部とを、前記第一ケース及び前記第二ケースの周縁部のうちの一の縁部側に配置し、
前記第一ケース及び前記第二ケースを、前記一の縁部側を支点に開いた状態で、前記接続ケーブルを、前記一の縁部を跨いで配線し、前記第一部品と前記第二部品とを前記接続ケーブルで接続する、
付記３２に記載の電子機器の製造方法。
（付記３４）
前記第一ケースの周縁部のうちの前記一の縁部と、該一の縁部とは反対側の他の縁部とが並ぶ方向が前記折曲部の横幅方向となるように、前記折曲部を形成し、
前記接続ケーブルが前記第一部品から導出された後に前記一の縁部側から前記他の縁部側に向けて前記折曲部の内側を通過し前記第二部品に向かうように、前記接続ケーブルを配線する、
付記３３に記載の電子機器の製造方法。
（付記３５）
前記第一ケースの周縁部のうちの前記一の縁部と、該一の縁部とは反対側の他の縁部とが並ぶ方向が前記折曲部の横幅方向となるように、前記折曲部を形成し、
前記接続ケーブルが前記第一部品から導出された後に前記他の縁部側から前記一の縁部側に向けて前記折曲部の内側を通過し前記第二部品に向かうように、前記接続ケーブルを配線する、
付記３３に記載の電子機器の製造方法。
（付記３６）
前記折曲部の開口部が前記第一ケース及び前記第二ケースの分割方向と交差する方向を向くように、前記折曲部を形成する、
付記１９〜付記３５のいずれか一項に記載の電子機器の製造方法。
（付記３７）
前記接続ケーブルが前記折曲部の内側から前記分割方向における前記第一ケースと反対側に導出されるように、前記接続ケーブルを配線する、
付記３６に記載の電子機器の製造方法。
【符号の説明】
【００８６】
１０  電子機器
３０  アッパーケース（第一ケースの一例）
３２  ロアケース（第二ケースの一例）
３６  スピーカ（第二部品の一例）
４０  コネクタ（第一部品の一例）
４４  接続ケーブル
４８  コネクタ（一対の部材の一方の一例）
５４  コネクタ（一対の部材の他方の一例）
５６  フレキシブルケーブル（配線ケーブルの一例）
５８  縁部（一の縁部の一例）
６０  縁部（一の縁部の一例）
６２  折曲部
６４  開口部
６８  縁部（他の縁部の一例）
７０  スポンジ部材（閉塞部材の一例）
７２，７４  一対の端部
７６，７８  一対の導出部
８０  折返し部
９０  シート部材（閉塞部材の一例）
【図１】
0006323250.tif 000002
【図２】
0006323250.tif 000003
【図３】
0006323250.tif 000004
【図４】
0006323250.tif 000005
【図５】
0006323250.tif 000006
【図６】
0006323250.tif 000007
【図７】
0006323250.tif 000008
【図８】
0006323250.tif 000009
【図９】
0006323250.tif 000010
【図１０】
0006323250.tif 000011
【図１１】
0006323250.tif 000012
【図１２】
0006323250.tif 000013
【図１３】
0006323250.tif 000014
【図１４】
0006323250.tif 000015
【図１５】
0006323250.tif 000016
【図１６】
0006323250.tif 000017
【図１７】
0006323250.tif 000018
【図１８】
0006323250.tif 000019
【図１９】
0006323250.tif 000020
【図２０】
0006323250.tif 000021
【図２１】
0006323250.tif 000022
【図２２】
0006323250.tif 000023
【図２３】
0006323250.tif 000024
【図２４】
0006323250.tif 000025